(57)【要約】【課題】  ノック式筆記具において、ノック部のノックストロークが長くても、軸筒の後端からノック部が大きく突出しないようにし、クリップにより確実にポケット等に保持できるようにする。【解決手段】  軸筒（１）の後端から突出するノック部（２）の側面の一部が露出するよう軸筒（１）に切欠部（５）を形成する。この切欠部（５）から指先を差し込んでノック部を操作することができる。切欠部（５）により形成された支承片（６）には、クリップ（１０）が設けられている。クリップの弾性は、クリップ（１０）の基端と、支承片（６）の基端に分散される。【選択図】      図１
0003112497.tif 000002
【実用新案登録請求の範囲】
【請求項１】
軸筒の後端にノック部を突出し該ノック部をノックして筆記先端を口金から進退させる形式のノック式筆記具において、ノック部の側面の一部が露出するよう上記軸筒の後端の一部を切り欠いて舌片状の支承片を形成し、該支承片にクリップを設けたことを特徴とするノック式筆記具。
【請求項２】
上記支承片は、後方端が幅狭となるよう傾斜して設けられている請求項１に記載のノック式筆記具。
【請求項３】
上記支承片は、ノック部のノックストロークの一端が該支承片の外方に存し、ノックストロークの他端が該支承片の中間部に存するような長さに形成されている請求項１または２に記載のノック式筆記具。
【請求項４】
上記支承片に設けたクリップは、基端が該支承片に一体的に連結し、先端が軸筒の側面に対向している請求項１に記載のノック式筆記具。
【考案の詳細な説明】
【技術分野】
【０００１】
本考案は、ノック式のシャープペンシル、ボールペン、蛍光ペンその他のノック式筆記具に関する。
【背景技術】
【０００２】
軸筒内に収納した筆記体の筆記先端をノック操作により口金の先端から進退させて筆記できるようにした各種のノック式筆記具が広く使用されている。通常、軸筒内に収納されているシャープペンシルの芯タンク、ボールペンや蛍光ペンのリフィール等を押圧するノックキャップ、ノックカム等のノック部は、軸筒の後端から後方に突出しており、このノック部を操作する際に確実にノック部を押し込めるよう構成しなければならないから、ノック部のノックストロークが長い筆記具の場合には、軸筒の後端から突出するノック部の突出量は、必然的に大きくなる。そのため、筆記具全体としてみたとき、体裁が良くなく、不用意にノック部に当ってノック操作されるようなこともあった。
【０００３】
不用意にノックされることを防止するため切欠部を有する後軸を外軸の後端に接続した液体塗布具が知られている（例えば、特許文献１参照）。しかし、上記外軸にはクリップが設けられておらず、携行するのに不便である。
【特許文献１】実公平８−８８６３号公報（４欄３０〜３５行、第１図）
【考案の開示】
【考案が解決しようとする課題】
【０００４】
本考案の解決課題は、ノックストロークの長いノック部を有するノック式筆記具において、軸筒の後端から突出するノック部の長さを短縮でき、かつ携行する際に確実にポケット等の被保持部に保持させることができるノック式筆記具を提供することである。
【課題を解決するための手段】
【０００５】
本考案によれば、軸筒の後端にノック部を突出し該ノック部をノックして筆記先端を口金から進退させる形式のノック式筆記具において、ノック部の側面の一部が露出するよう上記軸筒の後端の一部を切り欠いて舌片状の支承片を形成し、該支承片にクリップを設けたことを特徴とするノック式筆記具が提供され、上記課題が解決される。
【考案の効果】
【０００６】
本考案は上記のように構成され、軸筒の後端にノック部の側面の一部が露出するように切り欠いて舌片状の支承片を設けたから、ノック部のノックストロークが長いものであっても、上記切欠部に指先を入れてノックでき、したがって、軸筒の後端から突出するノック部の突出量を短くすることができ、体裁が良く、不用意にノック部が押圧されないようにすることができる。また、クリップを上記支承片に設けたので、該クリップの先端を開口させてポケット等の被保持部に保持させる際、クリップ自体の弾性作用と支承片の弾性作用を保持力として併用することができ、確実に被保持部に保持させることができる。
【考案を実施するための最良の形態】
【０００７】
図１、図２は本考案の一実施例を示し、円筒状の軸筒（１）内には、蛍光ペンその他のリフィールが収納され、該リフィールの後端若しくはリフィールの後端に連絡するノックカム等のノック部（２）を押圧することにより筆記先端（３）が口金（４）から進退するよう構成されている。蛍光ペンの他、シャープペンシル、ボールペン、消ゴム、化粧用品その他のノック式に進退させて使用する各種の筆記具等にも本考案を適用することができ、上記ノック部の構成も種々に構成することができる。なお、リフィール等をノック式に進退させる繰出機構としては回転カム式機構、ハートカム式機構、チャック式機構その他種々の機構が知られているが、本考案の要旨ではないので詳述しない。
【０００８】
図に示す実施例では、口金（４）と軸筒（１）が別体に構成されているが、一体的に形成してもよく、また軸筒（１）を軸方向に前軸、中軸、後軸等に分離して組み合わせて構成してもよい。この軸筒（１）の後端の一部は、ノック部（２）の一部が露出して指先を差し込めるよう切り欠かれており、該切欠部（５）を設けることにより舌片状の支承片（６）が形成されている。
【０００９】
上記支承片（６）は、ノック部（２）のノックストローク（Ｌ）の一端（後端）が該支承片の外方（後方）に存し、ノックストロークの他端（先端）が該支承片（６）の中間部に存するような長さに形成されている。また、上記切欠部（５）は、上記ノックストロークの他端（先端）までノック部（２）を押し込む際に指先が確実にノック部（２）にかかっているような大きさに開口している。
【００１０】
図において、上記支承片（６）は、後方端（７）が基端（８）より幅狭となるよう軸筒（１）の軸心に対して支承片の側縁（９）が直線状に傾斜して設けられているが、軸筒（１）の軸心に沿ってほぼ並行する側縁を形成したり、わん曲して形成したり、適宜の形状に形成することができる。
【００１１】
上記支承片（６）の後方端近くには、クリップ（１０）が設けられている。該クリップ（１０）は、好ましくは基端（１１）が上記支承片（６）に一体的に連結し、先端（１２）が軸筒（１）の側面に対向しているが、該支承片と別部品に形成して該支承片の後方端近くに組み付けるようにしてもよい。
【００１２】
上記のように、クリップ（１０）を支承片（６）に設けたので、クリップの弾性をクリップ自体によりＡ点に生じる弾性と、支承片（６）の基端（８）、すなわちＢ点に生じる弾性に分散することができる。換言すれば、２点に生じる弾性作用を併用してクリップの保持力とすることができるので、クリップ（１０）の先端（１２）を開口してポケット等の被保持物に差し込む際は、容易に開口させることができ、また保持させた後は、脱落しないように保持することができる。また、使用に際して、ノックストロークが長いノック部であっても、軸筒の後端から突出する長さを短くでき、不用意にノックされないようにできる。
【図面の簡単な説明】
【００１３】
【図１】本考案の一実施例を示す側面図。
【図２】ノック部をノックした状態の側面図。
【符号の説明】
【００１４】
１    軸筒
２    ノック部
３    筆記先端
４    口金
５    切欠部
６    支承片
１０    クリップ
【図１】
0003112497.tif 000003
【図２】
0003112497.tif 000004